(57)【特許請求の範囲】
【請求項１】
放送システムにおける音声信号ラインの断線障害を検出する障害検出装置において、
前記放送システムの入力部に接続されるマイクロフォンであって、前記放送システムに備えられるマイクロフォンと別の障害検出用マイクロフォンと、
前記放送システムの出力部に接続され、前記放送システムに備えられるスピーカとは別の障害検出用スピーカであって、前記障害検出用マイクロフォンと相互に近接配置可能であり、近接配置されたときに、該障害検出用スピーカ、前記障害検出用マイクロフォン、及び前記放送システムの前記音声信号ラインによりループが形成されたときにハウリングを生成する、障害検出用スピーカと、
前記障害検出用マイクロフォンからの信号又は前記障害検出用スピーカへの信号のレベルを検出するレベル検出手段と
からなり、前記音声信号ライン、前記障害検出用スピーカ、前記障害検出用マイクロフォンからなるループ上にハウリングが生じたことを前記レベル検出手段により検出することによって、断線障害が生じていないことを検出することができるようにしたことを特徴とする障害検出装置。
【請求項２】
請求項１記載の障害検出装置において、該装置はさらに、
前記障害検出用マイクロフォンと前記放送システムの入力部との間、又は前記障害検出用スピーカと前記放送システムの出力部との間に接続され、ハウリングの過度の成長を防止するレベル圧縮手段
を備えていることを特徴とする障害検出装置。
【請求項３】
請求項１記載の障害検出装置において、該装置はさらに、
前記障害検出用マイクロフォンと前記放送システムの入力部との間、又は前記障害検出用スピーカと前記放送システムの出力部との間に接続され、前記レベル検出手段で得られた信号レベルが所定レベルに達した時点でターン・オフされるスイッチング手段
を備えていることを特徴とする障害検出装置。
【請求項４】
請求項１〜３いずれかに記載の障害検出装置において、
前記放送システムは複数の音声信号ラインを備えており、
障害検出装置はさらに、前記音声信号ラインそれぞれの出力に接続された入力端子を有し、これらの入力端子を選択的に前記障害検出用スピーカに接続する選択手段を備えている
ことを特徴とする障害検出装置。
【請求項５】
放送システムにおける音声信号ラインの断線障害を検出する障害検出方法において、
前記放送システムのマイクロフォンとは別の障害検出用マイクロフォンを前記放送システムの音声入力ラインの入力部に接続するステップと、
前記放送システムのスピーカとは別の障害検出用スピーカを前記放送システムの音声信号ラインの出力部に接続するステップと、
前記障害検出用マイクロフォン及び前記障害検出用スピーカをハウリング発生可能に近接配置するステップと、
前記放送システムの音声信号ラインの入力部から音声信号を入力していない状態で、前記障害検出用マイクロフォンからの信号又は前記障害検出用スピーカへの信号のレベルを検出するステップと、
ハウリングが発生することによって前記信号のレベルが所定レベル以上となったときに、前記音声信号ラインに断線障害が生じていないと判定するステップと
からなることを特徴とする障害検出方法。
【発明の詳細な説明】
【０００１】
【発明の技術分野】
本発明は、放送システムにおいて、入力部から出力部までの音声信号ラインに断線等の障害が生じているか否かを検出するための障害検出装置及び方法に関する。
【０００２】
【従来の技術】
放送システムにおいては、実際の放送動作においてスピーカから音響出力が再生されない等の不都合が生じないようにするために、実際の放送動作に先立って、該システムの入力部から出力部までの音声信号ラインに断線等の障害が生じていないかどうかを検査する必要がある。
【０００３】
そのため、障害検出の段階において、放送システムのマイクからオペレータが音声を実際に入力させるか、又は適宜の音響ソースからの信号を実際に入力させ、そして、出力部のスピーカからの音響出力をオペレータが聴取して、音響出力が聴取できない場合に、障害が生じていると判定している。
【０００４】
また、オペレータの聴取による障害検出方式の他に、自動障害検出方式も採用されている。すなわち、図２に示すように、放送システムの入力部に障害検査用の発振器７を配置し、該発振器７からの信号を、出力部に設けた信号検出器８によって検出し、該信号検出器８で検出した信号レベルが所定のスレショルド値以下の場合には、断線等の何らかの障害が生じているものと判定している。
【０００５】
なお、図２において、１はマイクロフォン、２1、２2は音響ソースであるＣＤプレーヤ及びテープ・レコーダ、３はミキサ、４はイコライザ及びフィルタ等を含む信号処理部、５1、５2、…、５nは増幅器、６1、６2、…、６n1、６n2はスピーカである。
【０００６】
【発明が解決しようとする課題】
しかしながら、オペレータの聴取による障害検出方式では、実際に音響をスピーカ６1、６2、…、６n1、６n2から発生させる必要があるが、発生された音響は、オペレータ以外の人々にとっては、迷惑なノイズ音響となってしまう。また、放送システムの規模が大きくなってスピーカが多数の箇所に設けられると、オペレータがスピーカ毎に音響が発生されたか否かを聴取により確認する必要があることから、放送システムのすべての音声信号ラインを検査して障害の有無を検出することは、多大な労力を必要とする。
【０００７】
障害検査用の発振器及び信号検出器を用いた障害検出方式においても、放送システムの規模が大きくなると、検査用の装置のコスト増大が問題となる。
したがって、本発明の目的は、放送システムの音声信号ラインの断線等の障害の有無を検査する装置において、自動的に障害の有無を検出できるようにしてオペレータの労力を低減するとともに、安価に構成できる障害検出装置及び方法を提供することである。
【０００８】
【課題を解決するための手段】
上記した目的を達成するために、本発明においては、従来はノイズ音響を発生してしまうことから不所望な現象として認識されているハウリング現象を、積極的に障害検出用に利用したことを特徴としており、本発明に係る、放送システムにおける音声信号ラインの断線等の障害を検出する障害検出装置においては、
前記放送システムの入力部に接続されるマイクロフォンと、
前記放送システムの出力部に接続され、前記マイクロフォンと相互に近接配置可能なスピーカと、
前記マイクロフォンからの信号又は前記スピーカへの信号のレベルを検出するレベル検出手段と
からなり、前記マイクロフォンとスピーカとを近接配置させることにより、前記音声信号ライン、前記スピーカ、前記マイクロフォンからなるループ上にハウリングが生じたか否かをレベル検出手段により検出することによって、断線等の障害を検出することができるようにしたことを特徴としている。
【０００９】
上記した障害検出装置において、該装置はさらに、マイクロフォンと放送システムの入力部との間、又はスピーカと放送システムの出力部との間に接続され、ハウリングの過度の成長を防止するレベル圧縮手段を備えることが好ましい。レベル圧縮手段の代わりに、レベル検出手段で得られた信号レベルが所定レベルに達した時点でターン・オフされるスイッチング手段を用いてもよい。
【００１０】
さらに、上記した障害検出装置において、放送システムが複数の音声信号ラインを備えている場合、音声信号ライン毎に障害を監視するために、障害検出装置はさらに、音声信号ラインそれぞれの出力に接続された入力端子を有し、これらの入力端子を選択的にスピーカに接続する選択手段を備えることが好ましい。また、障害検出装置に具備されるマイクロフォン及びスピーカは、放送システムで通常の放送に使用可能である。
【００１１】
さらに、本発明に係る、放送システムにおける音声信号ラインの断線等の障害を検出する障害検出方法は、
マイクロフォンを前記放送システムの音声入力ラインの入力部に接続するステップと、
スピーカを前記放送システムの音声信号ラインの出力部に接続するステップと、
前記マイクロフォン及び前記スピーカをハウリング発生可能に近接配置するステップと、
前記放送システムの音声信号ラインの入力部から音声信号を入力していない状態で、前記マイクロフォンからの信号又は前記スピーカへの信号のレベルを検出するステップと、
ハウリングが発生することによって前記信号のレベルが所定レベル以上となったときに、前記音声信号ラインに断線等の障害が生じていないと判定するステップと
からなることを特徴としている。
【００１２】
【発明の実施の態様】
図１は、本発明の一実施例に係る障害検出装置１０を接続した汎用の放送システムのブロック図を示しており、図１において、図２と同一の参照番号は、同一の構成要素を示している。
【００１３】
障害検出装置１０は、図１に示すように、セレクタ・スイッチ１１、減衰器１２、スピーカ１３、マイクロフォン１４、増幅器１５、コンプレッサ１６、レベル検出器１７、表示器１８を含んでいる。セレクタ・スイッチ１１は、増幅器５1、５2、…、５nの出力端子にそれぞれ接続されたｎ個の入力端子及びオフ端子（OFF）を有しており、セレクタ・スイッチ１１の接点が入力端子のいずれかに接続されたときに、該入力端子が接続された増幅器からの信号を、減衰器１２に供給するよう構成されている。コンプレッサ１６の出力は、放送システムのミキサ３に接続されている。
【００１４】
このような構成を有する障害検出装置１０において、動作時には、スピーカ１２とマイクロフォン１３とは近接して配置される。この近接配置により、放送システムに断線等の障害が生じていない場合、ハウリングが生じる。すなわち、セレクタ・スイッチ１１がオフ端子以外の端子、例えば増幅器５nの出力に結合されている入力端子に接続されている場合、放送システム及び障害検出装置１０に電源が投入されると、増幅器５nが属する音声信号ライン及び障害検出装置１０からなるループにハウリングが生じる。そして、生じたハウリングは該ループ上で成長され、成長したハウリングは、レベル検出器１７によりそのレベルが検出され、表示部１８においてそのレベルが表示される。表示部１８でのレベル表示は、グラフ表示又は数値表示等の任意の方式で表示される。
【００１５】
音声信号ラインに断線等の障害が存在する場合、ハウリングが生じないので表示部１８で表示されるレベルはほぼ０レベルとなり、これにより、障害の存在を検出することができる。
【００１６】
増幅器１５の後段のコンプレッサ１６は、ハウリングが成長しすぎないようにするために挿入された非線形特性のレベル圧縮器であり、増幅器１５からのハウリング信号のレベルを、自動利得制御（ＡＧＣ）により圧縮する。コンプレッサ１６の作用によりハウリング信号の成長が抑圧されるので、放送システムのスピーカ６1、６2、…及び障害検出装置１０のスピーカ１３から発生されるノイズ音響のレベルを、制限することができる。なお、コンプレッサ１６の代わりにリミッタを採用して、ハウリング信号のレベルが所定値以上に上昇しないようにしてもよい。また、コンプレッサ１６の代わりに常閉スイッチを用い、レベル検出器１７で検出した信号レベルが所定レベルに達した時点で該スイッチをターン・オフするようにしてもよい。この場合も、ハウリングが所定レベル以上に成長することがない。
【００１７】
セレクタ・スイッチ１１は、制御部（不図示）からの制御信号により、所定の時間間隔で自動的にそれぞれの入力端子に順次接続されるよう切換制御される。これにより、放送システムにおけるすべての信号系における障害を自動的に検査することができる。セレクタ・スイッチ１１は、電子的スイッチ及び機械的スイッチのいずれの構成でも採用可能である。セレクタ・スイッチ１１を制御信号により自動的に切換可能に構成する代わりに、オペレータが手動操作により任意の入力端子に接続できるようにしてもよい。また、自動切換及び手動切換の両機能を備えさせても良い。
【００１８】
したがって、セレクタ・スイッチ１１を切り換えつつ、表示部１８に表示された信号レベルを読み取れば、放送システムの全ての信号系に断線等の障害が生じているが否かを検出することができる。しかもこの場合、コンプレッサ１６等のの機能により、放送システムのスピーカ及び障害検出装置のスピーカから、過大なノイズ音響を発生させることがない。
【００１９】
上記においては、障害検出装置１０におけるスピーカ１３及びマイクロフォン１４を、障害検出専用に構成した場合について説明したが、これらを障害検出用だけではなく、放送用にも使用できるよう構成することができる。この場合、マイクロフォン１４を移動可能にするとともに、該マイクロフォンを障害検出装置の増幅器１５に接続させるか放送システムのミキサ３に直接接続させるかを切り換えるためのスイッチを設ける必要がある。スピーカ１３についても、減衰器１２に接続させるか放送システムの出力増幅器に直接接続するかを切り換えるためのスイッチを設けることが必要である。
【００２０】
また、レベル検出器１７、コンプレッサ１６等は、マイクロフォン１４の出力側ではなく、スイーカ１３の入力側に配置してもよい。さらに、放送システムが複数の音声信号ラインを具備していない場合は、セレクタ・スイッチ１１が不要であることは言うまでもない。
【００２１】
本発明の障害検査装置は以上のように構成されているので、放送システムの音声信号ラインに断線等の障害が生じているか否かを容易に検査することができる。また、セレクタ・スイッチの入力端子の数を放送システム中の信号系の数に対応させて設ければよいので、どのような規模の放送システムでの障害検出にも対処することができ、結局、障害検査装置を安価に構成することができる。
【図面の簡単な説明】
【図１】本発明の一実施例の障害検出装置を、汎用の放送システムに接続した状態で示したブロック図である。
【図２】障害検出手段を備えた従来例の放送システムのブロック図である。
【図１】
0004004693.tif 000002
【図２】
0004004693.tif 000003